【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
電気−機械エネルギ変換素子により振動が励起される振動体と、該振動体に接触し該振動体に励起された振動によって移動する接触体とを有する振動型アクチュエータの駆動装置において、
電源に接続されたインダクタと、
位相差をもつ第１のパルス信号と第２のパルス信号を生成するパルス生成回路と、
前記インダクタと前記電気−機械エネルギー変換素子の接続点に接続され、前記第１のパルス信号に応じて、前記インダクタに蓄積されたエネルギの前記電気−機械エネルギ変換素子への供給動作を切り替える第１のスイッチング素子と、
前記第２のパルス信号に応じて、前記電気−機械エネルギ変換素子に蓄積されたエネルギの放電動作を切り替える第２のスイッチング素子とを有することを特徴とする振動型アクチュエータの駆動装置。
【請求項２】
前記パルス生成回路は前記振動体の振動振幅、あるいは、前記振動型アクチュエータの駆動速度を制御するための指令に応じて、前記第１のパルス信号と前記第２のパルス信号を生成することを特徴とする請求項１に記載の振動型アクチュエータの駆動装置。
【請求項３】
第２のスイッチング素子は前記インダクタと前記電気−機械エネルギ変換素子の間に配置されることを特徴とする請求項１または２に記載の振動型アクチュエータの駆動装置。
【請求項４】
前記第１のパルス信号の周期と前記第２のパルス信号の周期は等しいことを特徴とする請求項１から３のいずれか１つに記載の振動型アクチュエータの駆動装置。
【請求項５】
前記第１のパルス信号は一周期に複数のパルス成分を含むことを特徴とする請求項４に記載の振動型アクチュエータの駆動装置。
【請求項６】
波形データを記憶する記憶回路を有し、前記パルス生成回路は、前記パルス成分のパルス幅を前記波形データに基づいて決定することを特徴とする請求項５に記載の振動型アクチュエータの駆動装置。
【請求項７】
前記振動体の振動振幅に関する指令信号を出力する指令回路を有し、前記パルス生成回路は、振動検出素子によって検出された振動体の振動状態と前記指令信号とに基づいて前記第１のパルス信号と前記第２のパルス信号を生成することを特徴とする請求項２に記載の振動型アクチュエータの駆動装置。
【請求項８】
前記振動型アクチュエータの駆動速度に関する指令信号を出力する指令回路と、前記振動型アクチュエータの駆動速度を検出する振動検出回路とを有し、前記パルス生成回路は、該検出された駆動速度と前記指令信号とに基づいて前記第１のパルス信号と前記第２のパルス信号を生成することを特徴とする請求項２に記載の振動型アクチュエータの駆動装置。
【請求項９】
電気−機械エネルギ変換素子により振動が励起される振動体と、該振動体に接触し該振動体に励起された振動によって移動する接触体とを有する振動型アクチュエータの駆動装置において、
電源に接続されたインダクタと、
前記電気−機械エネルギ変換素子と並列に接続されたコンデンサと、
位相差をもつ第１のパルス信号と第２のパルス信号を生成するパルス生成回路と、
前記第１のパルス信号に応じて、前記インダクタに蓄積されたエネルギの前記コンデンサへの供給動作を切り替える第１のスイッチング素子と、
前記第２のパルス信号に応じて、前記コンデンサに蓄積されたエネルギの放電動作を切り替える第２のスイッチング素子とを有することを特徴とする振動型アクチュエータの駆動装置。
【請求項１０】
前記パルス生成回路は前記振動体の振動振幅、あるいは、前記振動型アクチュエータの駆動速度を制御するための指令に応じて、前記第１のパルス信号と前記第２のパルス信号を生成することを特徴とする請求項９に記載の振動型アクチュエータの駆動装置。
【請求項１１】
第２のスイッチング素子は前記インダクタと前記電気−機械エネルギ変換素子の間に配置されることを特徴とする請求項９または１０に記載の振動型アクチュエータの駆動装置。
【請求項１２】
前記第１のパルス信号の周期と前記第２のパルス信号の周期は等しいことを特徴とする請求項９から１１のいずれか１つに記載の振動型アクチュエータの駆動装置。
【請求項１３】
前記第１のパルス信号は一周期に複数のパルス成分を含むことを特徴とする請求項１２に記載の振動型アクチュエータの駆動装置。
【請求項１４】
波形データを記憶する記憶回路を有し、前記パルス生成回路は、前記パルス成分のパルス幅を前記波形データに基づいて決定することを特徴とする請求項１３に記載の振動型アクチュエータの駆動装置。
【請求項１５】
前記振動体の振動振幅に関する指令信号を出力する指令回路を有し、
前記パルス生成回路は、振動検出素子によって検出された振動体の振動状態と前記指令信号とに基づいて前記第１のパルス信号と前記第２のパルス信号を生成することを特徴とする請求項１０に記載の振動型アクチュエータの駆動装置。
【請求項１６】
前記振動型アクチュエータの駆動速度に関する指令信号を出力する指令回路と、前記振動型アクチュエータの駆動速度を検出する振動検出回路とを有し、
前記パルス生成回路は、該検出された駆動速度と前記指令信号とに基づいて前記第１のパルス信号と前記第２のパルス信号を生成することを特徴とする請求項１０に記載の振動型アクチュエータの駆動装置。
【請求項１７】
電気−機械エネルギ変換素子により振動が励起される振動体と、該振動体に接触し該振動体に励起された振動によって移動する接触体とを有する振動型アクチュエータの駆動方法において、
位相差をもつ第１のパルス信号と第２のパルス信号を生成するパルス生成工程と、
前記第１のパルス信号に応じて、前記インダクタと前記電気−機械エネルギー変換素子の接続点に接続された第１のスイッチング素子を駆動して、電源に接続されたインダクタに蓄積されたエネルギの前記電気−機械エネルギ変換素子への供給動作を切り替える工程と、
前記第２のパルス信号に応じて第２のスイッチング素子を駆動して、前記電気−機械エネルギ変換素子に蓄積されたエネルギの放電動作を切り替える工程とを備えることを特徴とする振動型アクチュエータの駆動方法。
【請求項１８】
前記パルス生成工程では、前記振動体の振動振幅、あるいは、前記振動型アクチュエータの駆動速度を制御するための指令に応じて、前記第１のパルス信号と前記第２のパルス信号を生成することを特徴とする請求項１７に記載の振動型アクチュエータの駆動方法。
【請求項１９】
電気−機械エネルギ変換素子により振動が励起される振動体と、該振動体に接触し該振動体に励起された振動によって移動する接触体とを有する振動型アクチュエータの駆動方法において、
位相差をもつ第１のパルス信号と第２のパルス信号を生成するパルス生成工程と、
前記第１のパルス信号に応じて、電源に接続されたインダクタに蓄積されたエネルギの前記電気−機械エネルギ変換素子と並列に接続されたコンデンサへの供給動作を切り替える工程と、
前記第２のパルス信号に応じて、前記コンデンサに蓄積されたエネルギの放電動作を切り替える工程とを備えることを特徴とする振動型アクチュエータの駆動方法。
【請求項２０】
前記パルス生成工程では、前記振動体の振動振幅、あるいは、前記振動型アクチュエータの駆動速度を制御するための指令に応じて、前記第１のパルス信号と前記第２のパルス信号を生成することを特徴とする請求項１９に記載の振動型アクチュエータの駆動方法。
【手続補正２】
【補正対象書類名】明細書
【補正対象項目名】０００５
【補正方法】変更
【補正の内容】
【０００５】
そこで、本発明は上記課題を解決するため、電気−機械エネルギ変換素子により振動が励起される振動体と、振動体に接触し振動体に励起された振動によって移動する接触体とを有する振動型アクチュエータの駆動装置であって、電源に接続されたインダクタと、位相差をもつ第１のパルス信号と第２のパルス信号を生成するパルス生成回路と、インダクタと電気−機械エネルギー変換素子の接続点に接続され、第１のパルス信号に応じて、インダクタに蓄積されたエネルギの電気−機械エネルギ変換素子への供給動作を切り替える第１のスイッチング素子と、第２のパルス信号に応じて、電気−機械エネルギ変換素子に蓄積されたエネルギの放電動作を切り替える第２のスイッチング素子とを有することを特徴とするものである。